(57)【特許請求の範囲】
【請求項１】
照明制御システムであって、
複数の被照射区画を含む被照射面の全体を撮像して被照射面画像を生成するための撮像装置と、
複数の照明器具の各々の明るさを変化させる点灯制御部、前記被照射面画像から前記被照射面の輝度分布を取得する輝度分布取得部、前記複数の照明器具の各々について、明るさの変化に対する前記輝度分布の差分に基づいて輝度中心位置を求める輝度中心特定部、及び前記輝度中心位置が前記複数の被照射区画のうちのどの被照射区画に含まれるのかを特定し、同じ被照射区画に含まれる輝度中心位置を有する照明器具を同じ照明器具グループにグループ分けするグルーピング部を含むＣＰＵと
を備え、
前記複数の被照射区画が第１〜第ｍ（２≦ｍ）の被照射区画からなり、前記複数の照明器具グループが第１〜第ｎ（ｎ＝ｍ）の照明器具グループからなる場合、
前記ＣＰＵが、
第ｋ（１≦ｋ≦ｎ）の照明器具グループが点灯されるとともに残余の照明器具グループが消灯された状態における前記輝度分布上の前記第１〜第ｍの被照射区画における輝度値Ｖ（ｋ，１）〜Ｖ（ｋ，ｍ）を計算し、前記第ｋの照明器具グループから第ｊ（１≦ｊ≦ｍ）の被照射区画が受ける被照射面輝度の寄与率Ｃ（ｋ，ｊ）を、
【数１１】
0006421706.tif 000013
として演算する寄与率演算部をさらに含む、照明制御システム。
【請求項２】
請求項１に記載の照明制御システムであって、
前記第１〜第ｎの照明器具グループから前記第１〜第ｍの被照射区画への被照射面輝度の寄与率Ｃ（１，１）〜Ｃ（ｎ，ｍ）が、
【数１２】
0006421706.tif 000014
の行列で表され、前記第１〜第ｍの被照射区画の各々の輝度設定値Ｌ１〜Ｌｍが、
【数１３】
0006421706.tif 000015
の行列で表され、前記第１〜第ｎの照明器具グループの各々の調光率Ｒ１〜Ｒｎが、
【数１４】
0006421706.tif 000016
の行列で表される場合に、
前記ＣＰＵが、前記行列ＲをＲ＝Ｃ−１Ｌによって決定する調光率決定部をさらに含む、照明制御システム。
【請求項３】
請求項２に記載の照明制御システムにおいて、前記調光率の単位が％である場合に、前記調光率決定部が、前記調光率の行列Ｒに負値の要素がある場合には該要素を０％に置換し、前記調光率の行列Ｒに１００％を超える要素がある場合には該要素を１００％に置換するように構成された、照明制御システム。
【請求項４】
照明制御システムであって、
複数の被照射区画を含む被照射面の全体を撮像して被照射面画像を生成するための撮像装置と、
複数の照明器具の各々の明るさを変化させる点灯制御部、前記被照射面画像から前記被照射面の輝度分布を取得する輝度分布取得部、前記複数の照明器具の各々について、明るさの変化に対する前記輝度分布の差分に基づいて輝度中心位置を求める輝度中心特定部、及び前記輝度中心位置が前記複数の被照射区画のうちのどの被照射区画に含まれるのかを特定し、同じ被照射区画に含まれる輝度中心位置を有する照明器具を同じ照明器具グループにグループ分けするグルーピング部を含むＣＰＵと
を備え、
前記ＣＰＵの各部の全部又は一部を含む主ＣＰＵが前記撮像装置と一体化された照明制御システム。
【請求項５】
請求項１から４のいずれか一項に記載の照明制御システムにおいて、前記グルーピング部が、前記輝度中心位置が前記複数の被照射区画のうちのいずれの被照射区画にも含まれない照明器具をいずれの照明器具グループにもグループ分けしないように構成された、照明制御システム。
【請求項６】
請求項１から５のいずれか一項に記載の照明制御システムにおいて、
前記点灯制御部が、前記複数の照明器具のうちの選択された照明器具を点灯及び消灯し、
前記輝度中心特定部が、前記被照射面の輝度分布において、前記選択された照明器具の点灯時の輝度分布及び消灯時の輝度分布の差分を取得し、該差分における重心位置を前記輝度中心位置として特定するように構成された、照明制御システム。
【請求項７】
コンピュータを、請求項１から６のいずれか一項に記載の照明制御システムが備える各部として機能させるためのプログラム。
【請求項８】
請求項７に記載されたプログラムが記憶されたコンピュータ可読記憶媒体。
【請求項９】
撮像装置及びＣＰＵを有する照明制御システムにおける照明制御方法であって、
前記ＣＰＵによって、複数の照明器具のうちから選択された照明器具を第１の明るさで点灯させるステップと、
前記撮像装置によって複数の被照射区画を含む被照射面の全体を撮像して、前記ＣＰＵによって前記被照射面の輝度分布である第１の輝度分布を取得するステップと、
前記ＣＰＵによって、前記選択された照明器具を第２の明るさで点灯又は消灯するステップと、
前記撮像装置によって前記被照射面の全体を撮像して、前記ＣＰＵによって前記被照射面の輝度分布である第２の輝度分布を取得するステップと、
前記ＣＰＵによって、前記第１の輝度分布と前記第２の輝度分布の差分に基づいて、前記選択された照明器具の輝度中心位置を特定するステップと、
前記ＣＰＵによって、前記輝度中心位置が前記複数の被照射区画のうちのどの被照射区画に含まれるのかを特定するステップと、
前記ＣＰＵによって、同じ被照射区画に含まれる輝度中心位置を有する照明器具を同じ照明器具グループにグループ分けするステップと
を備え、
前記複数の被照射区画が第１〜第ｍ（２≦ｍ）の被照射区画からなり、前記複数の照明器具グループが第１〜第ｎ（ｎ＝ｍ）の照明器具グループからなる場合、
前記ＣＰＵによって、
第ｋ（１≦ｋ≦ｎ）の照明器具グループが点灯されるとともに残余の照明器具グループが消灯された状態における前記輝度分布上の前記第１〜第ｍの被照射区画における輝度値Ｖ（ｋ，１）〜Ｖ（ｋ，ｍ）を計算し、前記第ｋの照明器具グループから第ｊ（１≦ｊ≦ｍ）の被照射区画が受ける被照射面輝度の寄与率Ｃ（ｋ，ｊ）を、
【数１５】
0006421706.tif 000017
として演算するステップをさらに含む、照明制御方法。
【発明の詳細な説明】
【技術分野】
【０００１】
本発明は照明制御システム、照明制御プログラム及び照明制御方法に関する。
【背景技術】
【０００２】
特許文献１は、設置位置で特定される発光器具と識別情報で特定される発光器具とを同定する同定装置を開示する。この同定装置は、制御部、撮像部及び同定部を備える。制御部は、空間に設置された複数の発光器具それぞれの識別情報を用いて、当該複数の発光器具の点消灯を、ネットワークを介して個別に制御する。撮像部は、画像センサ面が鉛直方向と平行となるように（すなわち、撮像方向を水平方向に向けて）配置され、上記空間において発光器具を時系列で撮像し、時系列の撮像画像を得る。同定部は、複数の発光器具の点灯／消灯の制御内容と時系列の撮像画像とを用いて、複数の発光器具それぞれの設置位置を特定し、複数の設置位置で特定される複数の発光器具それぞれと複数の識別情報で特定される複数の発光器具それぞれとを同定する。
【先行技術文献】
【特許文献】
【０００３】
【特許文献１】特開２０１４−０８６１４９号公報
【発明の概要】
【発明が解決しようとする課題】
【０００４】
ところで、現実の照明空間（オフィス、体育館等）においては、多数の照明器具が設置される一方で、床面側の被照射領域も多数の被照射区画に区分され得る。そして、照明空間の天井面における各照明器具側の照度分布と、床面の被照射領域における輝度分布とは、照明器具の配光、床面の材質等に起因して、必ずしも一致するとは限らない。そのため、多数の照明器具と多数の被照射区画とが存在する照明空間において各被照射区画の輝度分布を求める場合、多数の照明器具の各々の照度、配光特性、被照射部分の状態等を考慮する必要が生ずる。しかし、このような多数の要因を入力要素として輝度分布を取得するには多くの労力と複雑な計算が必要となり、照明制御システムの導入容易性が損なわれることになる。したがって、照明空間において、多数の照明器具の各々と多数の被照射区画の各々における床面輝度との対応関係を正確かつ効率的に取得する構成が望まれる。
【０００５】
そこで、本発明は、複数の照明器具と複数の被照射区画の被照射面輝度との対応関係を正確かつ効率的に取得することを可能とする導入容易性の高い照明制御システム、プログラム及び方法を提供することを課題とする。
【課題を解決するための手段】
【０００６】
本発明の照明制御システムは、複数の被照射区画を含む被照射面の全体を撮像して被照射面画像を生成するための撮像装置と、複数の照明器具の各々の明るさを変化させる点灯制御部、被照射面画像から被照射面の輝度分布を取得する輝度分布取得部、複数の照明器具の各々について、明るさの変化に対する輝度分布の差分に基づいて輝度中心位置を求める輝度中心特定部、及び輝度中心位置が複数の被照射区画のうちのどの被照射区画に含まれるのかを特定し、同じ被照射区画に含まれる輝度中心位置を有する照明器具を同じ照明器具グループにグループ分けするグルーピング部を含むＣＰＵとを備える。
【０００７】
上記照明制御システムによると、各照明器具の照度ではなく、各照明器具が各被照射区画の被照射面に与える輝度分布に基づいて相互の対応関係が特定され、同じ被照射区画に対応する照明器具が同じ照明器具グループにグループ分けされる。したがって、複数の照明器具と複数の被照射区画の被照射面輝度との対応関係を正確かつ効率的に取得することが可能となり、照明制御システムの導入容易性が高まる。また、このようにして取得されたグループ分けの情報があれば、ユーザは照明空間内の各被照射区画において的確に点灯操作を行うことができる。
【０００８】
ここで、グルーピング部は、輝度中心位置が複数の被照射区画のうちのいずれの被照射区画にも含まれない照明器具をいずれの照明器具グループにもグループ分けしないように構成されることが好ましい。これにより、照明器具グループの各々と被照射区画の各々との相関が一層高まる。
【０００９】
また、点灯制御部は、複数の照明器具のうちの選択された照明器具を点灯及び消灯し、輝度中心特定部が、被照射面の輝度分布において、選択された照明器具の点灯時の輝度分布及び消灯時の輝度分布の差分を取得し、差分における重心位置を輝度中心位置として特定するように構成される。これにより、少ない処理工程で精度よく輝度中心位置が求められるので、照明器具のグループ分けにおける効率及び精度が確保される。
【００１０】
またさらに、複数の被照射区画が第１〜第ｍ（２≦ｍ）の被照射区画からなり、複数の照明器具グループが第１〜第ｎ（ｎ＝ｍ）の照明器具グループからなる場合、第ｋ（１≦ｋ≦ｎ）の照明器具グループが点灯されるとともに残余の照明器具グループが消灯された状態における第１〜第ｍの被照射区画における輝度値Ｖ（ｋ，１）〜Ｖ（ｋ，ｍ）を計算し、第ｋの照明器具グループから第ｊ（１≦ｊ≦ｍ）の被照射区画が受ける被照射面輝度の寄与率Ｃ（ｋ，ｊ）を、
【数１】
0006421706.tif 000002
として演算する寄与率演算部がＣＰＵに含まれていてもよい。これにより、各照明器具グループから各被照射区域への被照射面輝度の影響度が正確に得られる。
【００１１】
さらに、第１〜第ｎの照明器具グループから第１〜第ｍの被照射区画への被照射面輝度の寄与率Ｃ（１，１）〜Ｃ（ｎ，ｍ）が、
【数２】
0006421706.tif 000003
の行列で表され、第１〜第ｍの被照射区画の各々の輝度設定値Ｌ１〜Ｌｍが、
【数３】
0006421706.tif 000004
の行列で表され、第１〜第ｎの照明器具グループの各々の調光率Ｒ１〜Ｒｎが、
【数４】
0006421706.tif 000005
の行列で表される場合に、ＣＰＵが、行列ＲをＲ＝Ｃ−１Ｌによって決定する調光率決定部を含んでいてもよい。これにより、複数の照明器具グループから複数の被照射区画に与えられる輝度の複雑な相関性においても適切な調光制御が実現される。
【００１２】
なお、調光率の単位が％である場合に、調光率決定部が、調光率の行列Ｒに負値の要素がある場合にはその要素を０％に置換し、調光率の行列Ｒに１００％を超える要素がある場合にはその要素を１００％に置換するように構成される。これにより、現実には実行できない輝度設定値が与えられた場合であっても、その輝度設定値に概ね近い輝度設定値での調光制御が可能となる。
【００１３】
また、ＣＰＵの各部の全部又は一部を含む主ＣＰＵが撮像装置と一体化されていてもよい。これにより、撮像装置、主ＣＰＵ及び照明器具が天井側にまとめて設置される場合に、地上側のスペースの有効利用が可能となる。また、主ＣＰＵから照明器具を点灯、消灯及び調光するための点灯制御信号が天井側のみに配置されることになり、照明制御システムの施工性が向上するとともに点灯制御信号の通信環境が向上する。
【００１４】
また、本発明は、コンピュータを、上記照明制御システムが備える各部として機能させるための照明制御プログラムを含む。さらに、本発明は、その照明制御プログラムが記憶されたコンピュータ可読記憶媒体も含む。またさらに、本発明は、上記照明制御システムの各部の処理を実行するステップを備える照明制御方法も含む。
【図面の簡単な説明】
【００１５】
【図１】本発明の第１の実施形態による照明制御システムのブロック図である。
【図２】本発明における被照射面を説明する図である。
【図３Ａ】本発明の差分画像を説明する図である。
【図３Ｂ】本発明の差分画像を説明する図である。
【図４】第１の実施形態による照明制御方法を示すフローチャートである。
【図５】本発明の第２の実施形態による照明制御システムのブロック図である。
【図６】第２の実施形態による照明制御方法を示すフローチャートである。
【図７】本発明の第３の実施形態による照明制御システムのブロック図である。
【発明を実施するための形態】
【００１６】
＜第１の実施形態＞
図１に、本発明の実施形態による照明制御システム１のブロック図を示す。照明制御システム１は撮像装置２及び制御装置３を備え、制御装置３は照明器具４−１〜４−ｚを点灯制御する。撮像装置２及び照明器具４−１〜４−ｚは、照明空間Ｓの天井Ｃｅ付近において床面Ｆに対向して配置される。制御装置３は、例えば、照明空間Ｓとは別室の管理室等に配置されていてもよいし、照明空間Ｓ内の一部に配置されていてもよい。照明器具４−１〜４−ｚの各々は、電力線（不図示）から給電される点灯装置（不図示）及び点灯装置から所定の電流が供給される光源（不図示）を含む。照明空間Ｓは、例えばオフィス、体育館等であればよく、照明器具４−１〜４−ｚの各光源はＬＥＤ、蛍光灯、高圧放電灯、水銀灯等であればよい。なお、以降の説明において、照明器具４−１〜４−ｚについて、これらを総称して又はこれらの一部を代表して照明器具４又は照明器具４−ｉというものとする。
【００１７】
図２は、照明空間Ｓがオフィスである場合の、その概略上面図である。図２に示すように、照明空間Ｓにおいて、被照射面となる床面Ｆは、複数の被照射区画５−１〜５−ｍ（図２においては、ｍ＝３）に区分される（各区画に机、椅子、棚、パーティション等が配置される）。以降の説明において、被照射区画５−１〜５−ｍについて、これらを総称して又はこれらの一部を代表して被照射区画５又は被照射区画５−ｊというものとする。なお、本明細書において、床面Ｆは、必ずしも建物の構造における床でなくてもよく、机、什器、敷物等の設置物の上面であってもよい。言い換えると、以降の実施形態において、被照射面と床面Ｆとは実質的に同義である。
【００１８】
図１に戻り、照明器具４−１〜４−ｚは、ｎ個（ｎ＝ｍ）の照明器具グループ６にグループ分けされる。照明器具グループ６−１〜６−ｎ（ｎ＝ｍ）の各々は、被照射区画５−１〜５−ｍの各々に対応するものとする。ここで、１つも照明器具を含まない照明器具グループが存在しないように被照射区画５−１〜５−ｍが概ね妥当な範囲で設定されているものとする（そもそも、照明器具が設置されてない領域は照明制御の対象領域として予定されない）。なお、以降の説明において、照明器具グループ６−１〜６−ｎについて、これらを総称して又はこれらの一部を代表して照明器具グループ６又は照明器具グループ６−ｋというものとする。
【００１９】
撮像装置２は、例えばカメラであり、撮像素子２０及び通信部２１を有する。撮像装置２は、被照射区画５−１〜５−ｍを含む被照射面（すなわち床面Ｆ、以下同じ）の全体を撮像して被照射面画像を取得する。撮像素子２０は天井Ｃｅの中心付近において床面Ｆに向けて、かつ被照射領域の全域（又は床面Ｆの全域）が撮像範囲となるように設置される。なお、撮像素子２０は、床面Ｆを撮影することができれば、各照明器具４の光源面よりも天井Ｃｅ側に配置されていてもよいし、各照明器具４の光源面よりも床面Ｆ側に配置されていてもよい。撮像素子２０によって撮影された床面Ｆの画像（被照射面画像）は通信部２１によって制御装置３の受信部３３に送信される。通信部２１と受信部３３との通信は有線であっても無線であってもよい。なお、被照射面画像は、実写画像であってもよいし、輝度の高低を濃淡で表すだけの画像であってもよい。したがって、本明細書において、輝度とは、特に断りのない限り撮像素子２０からみた被照射面の明るさをいうものとする。
【００２０】
制御装置３は、ＣＰＵ３０、記憶部３１、ユーザインターフェイス部（ユーザＩ／Ｆ）３２、受信部３３及び送信部３４を有し、これらは相互にデータ又は信号のやりとりが可能な態様で接続される。制御装置３は専用のコンピュータであってもよいし、後述するプログラムがインストールされたパソコンであってもよい。記憶部３１は、各種プログラム及びデータを記憶するメモリである。
【００２１】
ユーザＩ／Ｆ３２は、ユーザからの入力を受け付けるキーボード、マウス、タッチパネル等の入力部３２０、及び撮像装置２で撮像された画像、ＣＰＵ３０による処理の結果等を表示するための出力部としての表示画面３２５を有する。上記の入力部がタッチパネルである場合には表示画面３２５は入力部３２０の一部を構成する。
【００２２】
受信部３３は、撮像装置２から撮像画像のデータを受信してそれをＣＰＵ３０に入力する。送信部３４は、ＣＰＵ３０（点灯制御部３０１）からの、各照明器具４を点灯、消灯又は調光するための点灯制御信号を各照明器具４に送信する。送信部３４と各照明器具４との通信は有線であっても無線であってもよい。本明細書に記載される各部間の通信が有線である場合、通信プロトコルとして、例えば、ＴＣＰ／ＩＰ、ＲＳ４８５等を用いることができる。また、本明細書に記載される各部間の通信が無線である場合、通信プロトコルとして、例えば、ＷｉＦｉ、ＺｉｇＢｅｅ等を用いることができる。ただし、通信プロトコルはこれらに限られない。
【００２３】
ＣＰＵ３０は、設定管理部３００、点灯制御部３０１、輝度分布取得部３０２、輝度中心特定部３０３及びグルーピング部３０４を含む。ＣＰＵ３０は、不図示の処理部によって各部を相互に作用させることができ、コンピュータを上記の各部３００〜３０４として機能させるためのプログラムを実行することができるものとする。
【００２４】
設定管理部３００は、ユーザＩ／Ｆ３２を介したユーザ入力に基づいて、被照射面における被照射区画５の設定（以下、「区画設定」という）を決定する。この区画設定は、撮像装置２によって撮像された被照射面画像においてユーザがユーザＩ／Ｆ３２の入力部３２０を介して各区画の境界線を設定することによって決定される新たな設定であってもよいし、入力部３２０から入力されるユーザ指示に応じて記憶部３１から読み出される既存の設定であってもよい。
【００２５】
点灯制御部３０１は、個別制御機能及びグループ制御機能を有する。個別制御機能によって、照明器具４の各々が個別に点灯及び消灯され、必要に応じて個別に調光され得る。また、グループ制御機能によって、後述する処理によって形成される照明器具グループに含まれる照明器具４が、照明器具グループごとに点灯、消灯及び調光される。
【００２６】
輝度分布取得部３０２は、撮像装置２によって撮像された被照射面画像から被照射面の輝度分布を取得する。輝度分布取得部３０２は、被照射面の輝度分布において、選択された照明器具４の点灯時の輝度分布Ｄ１及び消灯時の輝度分布Ｄ０を取得する。
【００２７】
輝度中心特定部３０３は、照明器具４の各々について、明るさの変化に対する輝度分布の差分に基づいて輝度中心位置を求める。具体的には、輝度中心特定部３０３は、上記の点灯時の輝度分布Ｄ１と消灯時の輝度分布Ｄ０の差分（Ｄ１−Ｄ０）を取得し、差分領域における重心位置の座標を輝度中心位置として特定する。これにより、少ない処理工程で精度よく輝度中心位置が求められる。なお、輝度中心位置として、輝度重心以外にも、輝度の差分が最も大きい点の座標が採用されてもよい。
【００２８】
グルーピング部３０４は、輝度中心位置（本例では輝度重心）が被照射区画５−１〜５−ｍのうちのどの被照射区画に含まれるのかを特定し、同じ被照射区画５に含まれる輝度中心位置を有する照明器具４を同じ照明器具グループ６にグループ分けする。グルーピング部３０４は、輝度重心が被照射区画５−１〜５−ｍのうちのいずれにも含まれない照明器具４（以下、「照明器具４ｏｕｔ」という）についてはグルーピング処理を行わない。照明器具４ｏｕｔのグルーピングを回避する処理によって、照明器具グループ６−１〜６−ｎと被照射区画５−１〜５−ｎとの相関が一層高まる。
【００２９】
図３Ａ及び図３Ｂを参照して、点灯制御部３０１、輝度分布取得部３０２、輝度中心特定部３０３及びグルーピング部３０４による処理を説明する。図３Ａ及び図３Ｂは、ユーザＩ／Ｆ３２の表示画面３２５の一部であり、あるいは、実際には表示画面３２５に表示されないＣＰＵ３０内の仮想的な画面であってもよい。なお、区画設定は設定管理部３００によって既に読み出されているものとする。
【００３０】
まず、点灯制御部３０１が照明器具４−１を点灯させた状態で、輝度分布取得部３０２が、撮像装置２から被照射面の輝度分布Ｄ１を取得する。また、点灯制御部３０１が照明器具４−１を消灯させた状態で、輝度分布取得部３０２が、撮像装置２から被照射面の輝度分布Ｄ０を取得する。輝度中心特定部３０３は、輝度分布Ｄ１から輝度分布Ｄ０を減じて差分（Ｄ１−Ｄ０）をとり、図３Ａに示すような差分画像Ｄｆ−１を得る。差分画像Ｄｆ−１において、輝度差に応じて濃淡が現われる。具体的には、輝度差の絶対値が大きい部分（領域Ａ−１の部分）が淡色（例えば白色）となり、輝度差が小さい部分（領域Ａ−１以外の部分）が濃色（例えば黒色）となる。そして、輝度中心特定部３０３は、図３Ａにおいて、輝度の差分が生じている領域Ａ１の重心を輝度重心Ｇ−１として特定する。差分画像における輝度重心は、差分画像を構成する各グリッドの座標及び淡色レベルに基づいて演算される。図３Ａに示すように、輝度重心Ｇ−１は被照射区画５−２に含まれる。したがって、グルーピング部３０４は、照明器具４−１を、被照射区画５−２に対応付けられた照明器具グループ６−２にグルーピングする。
【００３１】
続いて、点灯制御部３０１は、照明器具４−１の場合と同様に、照明器具４−２を選択して点灯及び消灯させる。この点滅によって得られた輝度分布に基づいて図３Ｂに示す差分画像Ｄｆ−２が得られたとする。輝度中心特定部３０３は、輝度の差分が生じている領域Ａ−２の重心を輝度重心Ｇ−２として特定する。図３Ｂに示すように、輝度中心特定部３０３によって特定された輝度重心Ｇ−２は被照射区画５−１〜５−３のいずれにも含まれない。このような場合は、グルーピング部３０４は、照明器具４−２をいずれの照明器具グループにもグルーピングしない。これにより、被照射区画５−１〜５−３とこれに対応する照明器具グループ６−１〜６−３の相関が一層高まる。
【００３２】
なお、点灯及び消灯の対象となる照明器具４以外の残余の照明器具は、この点灯及び消灯の実行期間中に一定の明るさとなっていればどのような点灯制御状態であってもよい。また、点灯制御部３０１は、選択された照明器具４を点灯及び消灯する代わりに、調光により明るさを第１の明るさから第２の明るさに変化させるようにしてもよい。すなわち、制御対象となる照明器具４において、輝度分布Ｄ１の取得時の調光率が輝度分布Ｄ０の取得時の調光率と異なっていればよい。
【００３３】
点灯制御部３０１、輝度分布取得部３０２、輝度中心特定部３０３及びグルーピング部３０４は、選択された区画設定において、上記の処理を全ての照明器具４−１〜４−ｚについて実行する。その結果、各区画設定について被照射区画５−１〜５−ｍに対応する照明器具グループ６−１〜６−ｎが形成され、照明器具グループ６の各々と照明器具４との対応関係が記憶部３１に記憶される。また、照明器具４−１〜４−ｚの輝度重心Ｇ−１〜Ｇ−ｚの座標も記憶部３１に記憶されるようにしてもよい。
【００３４】
これにより、照明器具グループ６−１〜６−ｎは、点灯制御部３０１のグループ制御機能によって照明器具グループごとに点灯、消灯及び調光可能となる。なお、グルーピングされなかった照明器具４ｏｕｔは、点灯制御部３０１の個別制御機能によって点灯、消灯及び調光可能である。
【００３５】
図４に、本実施形態における照明制御方法のグルーピング処理に関するフローチャートを示す。
ステップＳ５において、ユーザＩ／Ｆ３２を介したユーザ入力に基づいて、設定管理部３００によって区画設定が決定される。
ステップＳ９において、照明器具４−ｉについて、ｉ＝１に設定される。
【００３６】
ステップＳ１０において、点灯制御部３０１が照明器具４−ｉを点灯する。
ステップＳ１１において、輝度分布取得部３０２が、被照射区画５−１〜５−ｍの被照射面全体の輝度分布Ｄ１を撮像装置２から取得する。
【００３７】
ステップＳ１５において、点灯制御部３０１が照明器具４−ｉを消灯する。
ステップＳ１６において、輝度分布取得部３０２が、被照射区画５−１〜５−ｍの被照射面全体の輝度分布Ｄ０を撮像装置２から取得する。
なお、照明器具４−ｉ以外の照明器具４が全て消灯された状態で照明器具４−ｉが点灯／消灯される制御方法の場合には、ステップＳ１５及びＳ１６の代わりに、点灯制御部３０１が全ての照明器具４を消灯するステップＳ７及び輝度分布取得部３０２が輝度分布Ｄ０を取得するステップＳ８を、ステップＳ５とステップＳ９の間に設けてもよい。
【００３８】
ステップＳ２０において、輝度中心特定部３０３が、輝度分布Ｄ１と輝度分布Ｄ０の差分（Ｄ１−Ｄ０）に基づいて照明器具４−ｉによる輝度重心Ｇ−ｉを求める。
【００３９】
ステップＳ２５において、グルーピング部３０４が、輝度重心Ｇ−ｉが被照射区画５−１〜５−ｍのうちのどの被照射区画に含まれるのかを特定する。
ステップＳ２６において、グルーピング部３０４が、照明器具４−ｉの輝度重心Ｇ−ｉが含まれる被照射区画５に対応する照明器具グループ６に、照明器具４−ｉをグループ分けする。ここで、グルーピング部３０４は、輝度重心Ｇ−ｉが被照射区画５−１〜５−ｍのいずれにも含まれない照明器具４ｏｕｔをいずれの照明器具グループにもグループ分けしない。
【００４０】
ステップＳ３０において、全ての照明器具４−ｚについてグループ分けが完了したか否かが判定される。全てのグループ分けが完了したと判定される場合（ステップＳ３０、Ｙｅｓ）、処理は終了し、それ以外の場合（ステップＳ３０、Ｎｏ）、ステップＳ３１においてｉが増分され、処理はステップＳ１０に戻る。
【００４１】
上記の各ステップで得られた情報（輝度重心Ｇ−ｉ、グルーピングの結果等）は、各ステップにおいて記憶部３１に適宜記憶されるものとする。照明器具４−１〜４−ｚの輝度重心Ｇ−１〜Ｇ−ｚが記憶部３１に記憶されていれば、新たな区画設定が決定又は選択された場合であっても、その新たな区画設定に対するグルーピング処理において、上記のステップＳ６〜Ｓ２０が省略可能となる。
【００４２】
また、上記の各ステップの処理結果の一部又は全部は、逐次的に又は総括してユーザＩ／Ｆ３２の表示画面３２５に出力される。この表示は、被照射区画５、輝度重心位置等の情報が被照射面画像上に上書きされたようなグラフィック表示であってもよいし、上記情報が表又は数値によって表されたテキスト表示であってもよい。
【００４３】
以上のように、本実施形態の照明制御システム１は、複数の被照射区画５−１〜５−ｍを含む被照射面の全体を撮像して被照射面画像を取得する撮像装置２と、撮像装置２に通信接続されるＣＰＵ３０を備える。ＣＰＵ３０は、複数の照明器具４−１〜４−ｚの各々の明るさを変化させる点灯制御部３０１、被照射面画像を取得して被照射面の輝度分布を取得する輝度分布取得部３０２、照明器具４−１〜４−ｚの各々について、明るさの変化に対する輝度分布の差分に基づいて輝度中心位置を求める輝度中心特定部３０３、及び輝度中心位置が被照射区画５−１〜５−ｍのうちのどの被照射区画に含まれるのかを特定し、同じ被照射区画５に含まれる輝度中心位置を有する照明器具４を同じ照明器具グループ６にグループ分けするグルーピング部３０４を含む。これにより、複数の照明器具４と、複数の被照射区画５の被照射面（床面Ｆ）の輝度との対応関係を正確かつ効率的に取得することが可能となり、照明制御システム１の導入容易性が高まる。また、このようにして取得されたグループ分けの情報があれば、ユーザは照明空間Ｓ内の各被照射区画５において的確に点灯操作を行うことができる。
【００４４】
＜第２の実施形態＞
上記第１の実施形態においては、各被照射区画５に対応する各照明器具グループ６を形成する構成を示したが、本実施形態ではさらに、各照明器具グループ６から各被照射区域５への被照射面輝度における相互の影響を把握及び利用するための構成を示す。
【００４５】
図５に、本実施形態による照明制御システム１のブロック図を示す。第１の実施形態と同様の構成要素には同じ符号を付し、重複する説明を省略する。本実施形態では、ＣＰＵ３０は、設定管理部３００、点灯制御部３０１、輝度分布取得部３０２、輝度中心特定部３０３及びグルーピング部３０４に加えて、寄与率演算部３０５及び調光率決定部３０６を含む。
【００４６】
寄与率演算部３０５は、被照射区画５の各々が受ける照明器具グループ６の各々からの被照射面輝度の寄与率を特定する。具体的には、まず、点灯制御部３０１のグループ制御機能によって照明器具グループ６−ｋが点灯されるとともに残余の照明器具グループ６が消灯された状態において、寄与率演算部３０５は、輝度分布上で被照射区画５−１〜５−ｍの各々における輝度値Ｖ（ｋ，１）〜Ｖ（ｋ，ｍ）を計算する。そして、寄与率演算部３０５は、照明器具グループ６−ｋから被照射区画５−ｊへの被照射面輝度の寄与率Ｃ（ｋ，ｊ）を、
【数５】
0006421706.tif 000006
として演算する。
【００４７】
一具体例として、被照射区画５−１〜５−３及びこれに対応する照明器具グループ６−１〜６−３が照明空間Ｓに存在する場合を想定する。まず、点灯制御部３０１が、照明器具グループ６−１を点灯させるとともに照明器具グループ６−２及び６−３を消灯させる。この状態で、寄与率演算部３０５が、輝度分布に基づいて被照射区画５−１〜５−３の各々における輝度値Ｖ（１，１）〜Ｖ（１，３）を計算する。この輝度値は、被照射区画５−１〜５−３の各々に含まれる淡色レベルの積分値を各被照射区画の面積で除算することによって算出される。その結果、
被照射区画５−１の輝度値Ｖ（１，１）＝５１（ｃｄ／ｍ２）
被照射区画５−２の輝度値Ｖ（１，２）＝１７（ｃｄ／ｍ２）
被照射区画５−３の輝度値Ｖ（１，３）＝  ５（ｃｄ／ｍ２）
であるとする。同様に、点灯制御部３０１が照明器具グループ６−２を点灯させるとともに照明器具グループ６−１及び６−３を消灯させ、寄与率演算部３０５が輝度分布に基づいて被照射区画５−１〜５−３の各々における輝度値Ｖ（２，１）〜Ｖ（２，３）を計算する。その結果、
被照射区画５−１の輝度値Ｖ（２，１）＝３４（ｃｄ／ｍ２）
被照射区画５−２の輝度値Ｖ（２，２）＝６９（ｃｄ／ｍ２）
被照射区画５−３の輝度値Ｖ（２，３）＝２８（ｃｄ／ｍ２）
であるとする。同様に、点灯制御部３０１が照明器具グループ６−３を点灯させるとともに照明器具グループ６−１及び６−２を消灯させ、寄与率演算部３０５が輝度分布に基づいて被照射区画５−１〜５−３の各々における輝度値Ｖ（３，１）〜Ｖ（３，３）を計算する。その結果、
被照射区画５−１の輝度値Ｖ（３，１）＝  ６（ｃｄ／ｍ２）
被照射区画５−２の輝度値Ｖ（３，２）＝２３（ｃｄ／ｍ２）
被照射区画５−３の輝度値Ｖ（３，３）＝５６（ｃｄ／ｍ２）
であるとする。
【００４８】
上記の結果から、寄与率演算部３０５は、寄与率Ｃ（１，１）〜Ｃ（３，３）を、
寄与率Ｃ（１，１）＝Ｖ（１，１）／（Ｖ（１，１）＋Ｖ（２，１）＋Ｖ（３，１））
＝５１／（５１＋３４＋６）＝５６（％）（以下、同様にして）
寄与率Ｃ（２，１）＝３４／（５１＋３４＋６）＝３８（％）
寄与率Ｃ（３，１）＝６／（５１＋３４＋６）＝７（％）
寄与率Ｃ（１，２）＝１７／（１７＋６９＋２３）＝１６（％）
寄与率Ｃ（２，２）＝６９／（１７＋６９＋２３）＝６３（％）
寄与率Ｃ（３，２）＝２３／（１７＋６９＋２３）＝２１（％）
寄与率Ｃ（１，３）＝５／（５＋２８＋５６）＝５（％）
寄与率Ｃ（２，３）＝２８／（５＋２８＋５６）＝３１（％）
寄与率Ｃ（３，３）＝５６／（５＋２８＋５６）＝６４（％）
として演算する。これにより、以下の表１のようなデータが得られる。
【表１】
0006421706.tif 000007
【００４９】
上記のようなデータがユーザＩ／Ｆ３２の表示部に出力されることによって、ユーザは、各照明器具グループ６から各被照射区域５への輝度の影響度を正確かつ一目瞭然に把握することができる。例えば、被照射区画５−１の明るさの制御においては、対応する照明器具グループ６−１のみならず照明器具グループ６−２も制御した方が効果的であること、逆に照明器具グループ６−３の制御はほとんど有用でないこと等が容易に把握される。
【００５０】
上記の寄与率演算の例を一般化すると、照明器具グループ６−１〜６−ｎから被照射区画５−１〜５−ｍへの被照射面輝度のそれぞれの寄与率Ｃ（１，１）〜Ｃ（ｎ，ｍ）は、
【数６】
0006421706.tif 000008
の行列（以下、「寄与率行列Ｃ」という）で表される。
【００５１】
したがって、被照射区画５の各々の輝度設定値Ｌ１〜Ｌｍ（％）が、
【数７】
0006421706.tif 000009
の行列（以下、「輝度設定行列Ｌ」という）で表され、照明器具グループ６の各々の調光率Ｒ１〜Ｒｎ（％）が、
【数８】
0006421706.tif 000010
の行列（以下、「調光率行列Ｒ」という）で表される場合、
【数９】
0006421706.tif 000011
が成り立つ。
【００５２】
したがって、調光率決定部３０６は、所与の輝度設定行列Ｌに対して、調光率行列Ｒを
Ｒ＝Ｃ−１Ｌ
によって決定することができる。そして、点灯制御部３０１は、照明器具グループ６−１〜６−ｎの各々を、決定された調光率Ｒ１〜Ｒｎで点灯させることによって、所望の輝度設定Ｌ１〜Ｌｍが実現されることになる。
【００５３】
ここで、調光率決定部３０６は、調光率行列Ｒに負値（０％未満の値）の要素がある場合にはその要素を０％に置換し、調光率行列Ｒに１００％を超える要素がある場合にはその要素を１００％に置換するように構成される。したがって、調光率行列Ｒの全要素は、０〜１００％以内の値となる。これにより、現実には実行できない輝度設定（例えば、隣接する被照射区画の明暗の差が大きい輝度設定）が与えられた場合であっても、その輝度設定値に概ね近い輝度設定値での調光制御が可能となる。
【００５４】
また、調光率決定部３０６は、上記置換処理が行われたことをユーザＩ／Ｆ３２の出力手段（表示画面３２５、別途のスピーカ等）によってユーザに通知するようにしてもよい。これにより、ユーザは、当初の輝度設定が完全には実現されないことを認識することができる。あるいは、演算された調光率に０％又は１００％が含まれていることに基づいて、ユーザは、（通知がなくても）上記置換処理が行われたことを推認することができる。なお、寄与率行列Ｃの逆行列Ｃ−１が存在しない確率は非常に小さいが、逆行列Ｃ−１が存在しない場合にはエラー表示がユーザＩ／Ｆ３２に出力されて、ユーザに輝度設定値の再設定が促されるようにすればよい。
【００５５】
またさらに、調光率決定部３０６は、調光率行列Ｒに上記置換処理を適用した近似調光率行列Ｒ´を生成し、近似輝度設定行列Ｌ´をＬ´＝ＣＲ´により計算するようにしてもよい。この計算結果による近似輝度設定行列Ｌ´の各要素は、輝度設定行列Ｌの各要素に上書きされて記憶部３１に記憶されるようにしてもよいし、ユーザＩ／Ｆ３２を介してユーザに通知されるようにしてもよい。
【００５６】
図６に、本実施形態における照明制御方法の調光制御に関するフローチャートを示す。
ステップＳ１０５において、区画設定に対する輝度設定行列Ｌが決定される。区画設定の各々に対応する輝度設定行列Ｌが予め記憶部３１に記憶されていてもよいし、選択された区画設定に対する輝度設定行列Ｌがユーザによってマニュアル入力されるようにしてもよい。
ステップＳ１０６において、照明器具グループ６−ｋについて、ｋ＝１に設定される。
【００５７】
ステップＳ１１０において、点灯制御部３０１が、照明器具グループ６−ｋを点灯するとともに残余の照明器具グループ６を消灯する。
ステップＳ１１１において、輝度分布取得部３０２が、被照射区画５−１〜５−ｍの照射面全体の輝度分布を取得する。
【００５８】
ステップＳ１１５において、寄与率演算部３０５が、被照射区画５の各々について輝度値Ｖ（ｋ，１）〜Ｖ（ｋ，ｍ）を計算する。
ステップＳ１１６において、寄与率演算部３０５が、輝度値Ｖ（ｋ，１）〜Ｖ（ｋ，ｍ）に基づいて、照明器具グループ６−ｋから被照射区画５−１〜５−ｍへの被照射面輝度の寄与率Ｃ（ｋ，１）〜Ｃ（ｋ，ｍ）を演算する（上記［数式５］参照）。
【００５９】
ステップＳ１２０において、全ての照明器具グループ６−ｎについて輝度取得が完了したかが判定される。全ての輝度取得が完了していると判定される場合（ステップＳ１２０、Ｙｅｓ）、処理はステップＳ１２５に進み、それ以外の場合（ステップＳ１２０、Ｎｏ）、ステップＳ１２１においてｋが増分され、処理はステップＳ１１０に戻る。
【００６０】
ステップＳ１２５において、寄与率演算部３０５が、寄与率行列Ｃを生成する。
ステップＳ１３０において、調光率決定部３０６が、照明器具グループ６−１〜６−ｎの調光率行列Ｒについて、Ｒ＝Ｃ−１Ｌを演算する。
【００６１】
ステップＳ１３５において、調光率決定部３０６は、調光率行列Ｒに負値の要素があるか否かを判定する。負値の要素がある場合（ステップＳ１３５、Ｙｅｓ）、ステップＳ１３６において、調光率決定部３０６が負値の要素を０％に置換する。負値の要素がない場合（ステップＳ１３５、Ｎｏ）、処理はステップＳ１３７に進む。
ステップＳ１３７において、調光率決定部３０６は、調光率行列Ｒに１００％を超える要素があるか否かを判定する。１００％超の要素がある場合（ステップＳ１３７、Ｙｅｓ）、ステップＳ１３８において、調光率決定部３０６が１００％超の要素を１００％に置換する。１００％超の要素がない場合（ステップＳ１３７、Ｎｏ）、処理はステップＳ１４０に進む。
【００６２】
ステップＳ１４０において、点灯制御部３０１が、決定された調光率Ｒ１〜Ｒｎに従って照明器具グループ６−１〜６−ｎを調光制御する。
【００６３】
上記の各ステップで得られた情報（寄与率行列Ｃ、調光率行列Ｒ等）は、各ステップにおいて記憶部３１に適宜記憶されるものとする。また、上記の各ステップの処理結果の一部又は全部は、逐次的に又は総括してユーザＩ／Ｆ３２の表示画面３２５に出力される。この表示は、被照射区画５、輝度重心位置、算出された輝度値、演算された寄与率、決定された調光率等の情報が被照射面画像上に上書きされたグラフィック表示であってもよいし、上記情報が表又は数値によって表されたテキスト表示であってもよい。
【００６４】
以上のように、本実施形態の照明制御システム１では、ＣＰＵ３０が寄与率演算部３０５を備え、寄与率演算部３０５は、照明器具グループ６−ｋが点灯されるとともに残余の照明器具グループが消灯された状態における被照射区画５−１〜５−ｍにおける輝度値Ｖ（ｋ，１）〜Ｖ（ｋ，ｍ）を計算し、照明器具グループ６−ｋから被照射区画５−ｊが受ける被照射面輝度の寄与率Ｃ（ｋ，ｊ）を、Ｃ（ｋ，ｊ）＝Ｖ（ｋ，ｊ）／（Ｖ（１，ｊ）＋Ｖ（２，ｊ）＋・・・＋Ｖ（ｎ，ｊ））として演算する。これにより、ユーザは、各照明器具グループ６から各被照射区域５への輝度の影響度を正確に把握することができる。
【００６５】
さらに、このような輝度の寄与率のデータを利用する構成として、ＣＰＵ３０は調光率決定部３０６を備える。調光率決定部３０６が、輝度の寄与率行列Ｃ、各照明器具グループ６の調光率行列Ｒ、及び各被照射区画５の所与の輝度設定行列Ｌについて、Ｒ＝Ｃ−１Ｌを演算することによって調光率行列Ｒを決定し、点灯制御部３０１がこの調光率行列Ｒに従って各照明器具グループ６を調光制御する。これにより、複数の照明器具グループ６から複数の被照射区画５に与えられる輝度の複雑な相関性においても適切な調光制御が実現される。
【００６６】
＜第３の実施形態＞
上記第１及び第２の実施形態では、制御装置３が撮像装置２と別置される構成を示したが、本実施形態では、ＣＰＵ３０等、制御装置の大部分の構成要素が撮像装置２と一体化される構成を示す。
【００６７】
図７に、本実施形態の照明制御システム１のブロック図を示す。本実施形態において、第１の実施形態と実質的に同じ構成要素には同じ符号を付し、その詳細な説明を省略する。図８に示すように、制御装置３は、天井Ｃｅ側の制御装置３Ａ及び操作側の制御装置３Ｂを有し、それぞれＣＰＵ３０Ａ（主ＣＰＵ）及びＣＰＵ３０Ｂ（副ＣＰＵ）を含む。本実施形態と第１及び第２の実施形態とは通信構成が異なるが、ＣＰＵ３０Ａ及び３０Ｂにおいて実行される処理は上記ＣＰＵ３０において実行される処理と実質的に同じである。
【００６８】
本実施形態では、ＣＰＵ３０Ａは上記ＣＰＵ３０の設定管理部３００、点灯制御部３０１、輝度分布取得部３０２、輝度中心特定部３０３及びグルーピング部３０４（必要に応じて寄与率演算部３０５及び調光率決定部３０６）を含むものとして説明する。ただし、ＣＰＵ３０ＡとＣＰＵ３０Ｂの機能分担はこれに限られない。例えば、ＣＰＵ３０Ａが点灯制御部３０１〜調光率決定部３０６の一部を含み、ＣＰＵ３０Ｂが残余の部分を含んでいてもよい。そして、ＣＰＵ３０Ａ及び３０Ｂとも、プログラム及びデータ処理用の一般的な処理部を備えているものとする。
【００６９】
制御装置３ＡはＣＰＵ３０Ａ、記憶部３１、送信部３４及び通信部３５を含み、撮像装置２と一体化される。撮像装置２（撮像素子２０）と制御装置３Ａ（ＣＰＵ３０Ａ）との信号のやりとりは適宜のインターフェイスを介して行われるものとする。
【００７０】
制御装置３ＢはユーザＩ／Ｆ部３２、通信部３６、ＣＰＵ３０Ｂ及び記憶部３７を含み、照明空間Ｓとは別室の管理室、照明空間Ｓ内外の床面上等、ユーザが操作可能な場所に位置するものとする。記憶部３７は、プログラム及びデータを記憶するメモリであり、記憶部３１の複製であってもよい。
【００７１】
制御装置３Ａの送信部３４は、第１の実施形態と同様に、ＣＰＵ３０Ａ（点灯制御部３０１）からの点灯制御信号を各照明器具４に送信する。制御装置３Ａの通信部３５は、制御装置３Ｂの通信部３６と無線接続される。通信部３５から通信部３６へは、撮像装置２による撮像画像、ＣＰＵ３０Ａによる制御結果等が送信される。ＣＰＵ３０Ａによる制御結果には、上述した照明器具グループ６のグループ分けの結果、被照射面輝度の寄与率演算の結果、各照明器具グループ６について決定された調光率等が含まれる。通信部３６から通信部３５へは、ユーザＩ／Ｆ３２を介したユーザ入力が送信される。ユーザ入力には、区画設定のための入力、記憶部３１に記憶された区画設定を選択するための入力、区画設定に対する輝度設定を選択するための入力、照明器具４又は照明器具グループ６のマニュアル点灯、消灯又は調光するための指令等が含まれる。
【００７２】
以上のように、本実施形態の照明制御システム１においては、上記第１又は第２の実施形態のＣＰＵ３０の各部の全部又は一部を含むＣＰＵ３０Ａが撮像装置２に一体化される。これにより、管理室等の地上側に設置すべき装置が小型化され、スペースの有効利用が可能となる。また、制御装置３Ｂは、大きな処理量及び記憶量を必要としないので、比較的メモリ容量の小さいパソコン、携帯通信端末等でも構成可能となる。さらに、制御装置３Ａ及び撮像装置２と、制御装置３Ｂとの間に有線通信構成が不要であるので、制御装置３Ｂをタブレット、スマートフォン等の可搬型のコンピュータとすることができる。
【００７３】
また、ＣＰＵ３０Ａを有する制御装置３Ａが撮像装置２に一体化されることによって、送信部３４と各照明器具４との間の点灯制御信号のための通信配線が天井Ｃｅ側のみに配置され、地上（管理室等）と天井側との間の通信配線が不要となる。これにより、照明制御システム１の施工容易性が高まる。また、送信部３４と各照明器具４とが無線接続される場合、通信が障害物によって遮られる可能性が減少し、通信環境が向上する。
【００７４】
＜プログラム等＞
なお、上述した各実施形態における照明制御システム１（ＣＰＵ３０、３０Ａ、３０Ｂ）を実現する各構成要素、及び処理の各ステップは、記憶部３１又は３７のＲＡＭ又はＲＯＭなどに記憶されたプログラムが動作することによって実現される。
【００７５】
また、本発明は、上記各実施形態の機能を実現するソフトウェアのプログラム（図４又は図６に示すフローチャートに対応したプログラム）が、照明制御システム１（ＣＰＵ３０、３０Ａ、３０Ｂ）に直接に、又は遠隔から供給される場合も含む。したがって、本発明の機能処理を実現するために、照明制御システム１（ＣＰＵ３０、３０Ａ、３０Ｂ）にインストールされるプログラムコード自体も本発明に含まれる。すなわち、本発明には、本発明の機能処理を実現するためのコンピュータプログラムも含まれる。そのプログラムは、コンピュータを、上記の設定管理部３００、点灯制御部３０１、輝度分布取得部３０２、輝度中心特定部３０３、グルーピング部３０４、寄与率演算部３０５及び調光率決定部３０６の全部又は一部として機能させることができる。このように、本発明は、上記実施形態に示したような作用効果をソフトウェアの導入によって実現できるので、照明制御システム１の導入容易性を向上することができる。
【００７６】
上記プログラムがインターネットからダウンロードされるようにしてもよい。この場合、ブラウザ機能によってインターネットのホームページに接続された照明制御システム１に、そのホームページから上記コンピュータプログラム又は圧縮され自動インストール機能を含むファイルがハードディスク等にダウンロードされる。
【００７７】
上記プログラムを記憶したコンピュータ可読記憶媒体も本発明に含まれる。プログラムが記憶媒体によって供給される場合は、その記憶媒体は、フレキシブルディスク、ハードディスク、光ディスク、光磁気ディスク等であればよく、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）等であってもよい。
【００７８】
＜変形例＞
以上に本発明の好適な実施形態を示したが、本発明は、例えば以下に示すように種々の態様に変形可能である。
【００７９】
例えば、上記各実施形態においては、撮像装置２及び照明器具４の設置面が天井Ｃｅであり、被照射面が天井Ｃｅ下方の床面Ｆである構成を示したが、撮像装置２及び照明器具４の設置面と被照射面とは対向する関係にあれば他の配置であってもよい。例えば、被照射面が撮像装置２及び照明器具４の設置面に対して傾いていてもよいし、ライトアップの状況等のように被照射面が撮像装置２及び照明器具４の設置面の上方にあってもよい。本発明の照明制御システム１は、照明器具の配光特性等を計算要素として必要としないので、このような変則的な状況においても有用である。
【００８０】
また、上記各実施形態においては、寄与率行列Ｃ及び輝度設定行列Ｌの各要素が割合（単位：％）である構成を示した。一方、寄与率演算部３０５が、第２の実施形態に関して上述した輝度値Ｖ（１，１）〜Ｖ（ｎ，ｍ）（ｃｄ／ｍ２）を、
【数１０】
0006421706.tif 000012
の行列として生成し、輝度設定行列Ｌの各要素を輝度値（ｃｄ／ｍ２）として、調光率決定部３０６が、所与の輝度設定行列Ｌに対して、調光率行列Ｒを、Ｒ＝Ｖ−１Ｌによって決定する構成も可能である。
【００８１】
また、上記各実施形態では、調光率行列Ｒに１００％を超える要素が含まれる場合にはその要素が１００％に置換される構成を示した。一方、照明器具４の光源及び点灯装置における電流値がそれぞれの定格値以下となる範囲で、調光率行列Ｒの１００％以上１００＋α％以下の要素の調光はそのまま実行されるようにして、調光率行列Ｒに１００＋α％を超える要素が含まれる場合にはその要素が１００＋α％に置換される構成としてもよい。ただし、光源の寿命等に充分留意する必要がある。
【符号の説明】
【００８２】
１  照明制御システム
２  撮像装置
３、３Ａ、３Ｂ  制御装置
４、４−１〜４−ｚ  照明器具
５、５−１〜５−ｍ  被照射区画
６、６−１〜６−ｎ  照明器具グループ
３０、３０Ａ、３０Ｂ  ＣＰＵ
３００  設定管理部
３０１  点灯制御部
３０２  輝度分布取得部
３０３  輝度中心特定部
３０４  グルーピング部
３０５  寄与率演算部
３０６  調光率決定部
【図１】
0006421706.tif 000018
【図２】
0006421706.tif 000019
【図３Ａ】
0006421706.tif 000020
【図３Ｂ】
0006421706.tif 000021
【図４】
0006421706.tif 000022
【図５】
0006421706.tif 000023
【図６】
0006421706.tif 000024
【図７】
0006421706.tif 000025